(57)【要約】【課題】手摺りを別途設ける必要がない、浴室を提供する。【解決手段】浴室１は、浴槽１２と、浴槽１２に隣接する洗い場１１と、洗い場１１と浴槽１２とに跨って設置される壁部１３と、壁部１３の壁面１３ａにおいて、洗い場１１と浴槽１２とに跨るように壁面１３ａの幅方向の全長に亘って設けられ、手摺りとしての機能を有する前板部３と、を備える。前板部３は、洗い場１１側と浴槽１２側とに配置される端固定部（固定部４）と、この両側の端固定部の間に配置される中固定部（固定部４）と、を介して壁面１３ａに固定されるものである。中固定部と一方側の端固定部との間及び中固定部と他方側の端固定部との間を上方に開口した収納スペース１４ａとして、この両側の収納スペース１４ａそれぞれに、縦線材と横線材とで構成されて壁面１３ａの幅方向に長尺で、その上に物品を載置することができる棚部５が配置される。【選択図】図１
2019130382.tif 000002
【特許請求の範囲】
【請求項１】
浴槽と、
前記浴槽に隣接する洗い場と、
前記洗い場と前記浴槽とに跨って設置される壁部と、
前記壁部の壁面において、前記洗い場と前記浴槽とに跨るように前記壁面の幅方向の全長に亘って設けられ、手摺りとしての機能を有する前板部と、を備え、
前記前板部は、前記洗い場側と前記浴槽側とに配置される端固定部と、この両側の端固定部の間に配置される中固定部と、を介して前記壁面に固定されるものであり、
前記中固定部と一方側の前記端固定部との間及び前記中固定部と他方側の前記端固定部との間を上方に開口した収納スペースとして、この両側の収納スペースそれぞれに、縦線材と横線材とで構成されて前記壁面の幅方向に長尺で、その上に物品を載置することができる棚部が配置されることを特徴とする浴室。
【請求項２】
前記壁面に設置される鏡を備え、
前記鏡は、前記洗い場と前記浴槽とに跨るように前記前板部の上側に沿って横長形状であることを特徴とする請求項１記載の浴室。
【発明の詳細な説明】
【技術分野】
【０００１】
本発明は、浴室に関する。
【背景技術】
【０００２】
従来、浴室の壁面に取付けられる浴室収納棚が知られている（例えば特許文献１参照）。
【先行技術文献】
【特許文献】
【０００３】
【特許文献１】特開２０１１−１１０２１０号公報
【発明の概要】
【発明が解決しようとする課題】
【０００４】
特許文献１に記載されている浴室収納棚は、単に物品を載置するだけのものである。このため、使用者が前板部に荷重を掛け、立ち上がる、座る、移動する等といった動作をすると、壊れたり、壁面から外れたりしてしまう虞があるため、使用者は荷重を掛けることができない。そのため、手摺りを別途設ける必要があった。
【０００５】
本発明は上記従来の問題点に鑑みて発明したものであって、その目的とするところは、手摺りを別途設ける必要がない、浴室を提供することを課題とするものである。
【課題を解決するための手段】
【０００６】
上記課題を解決するために、本発明の一態様に係る浴室は、以下のような構成とする。
【０００７】
浴室であって、浴槽と、前記浴槽に隣接する洗い場と、前記洗い場と前記浴槽とに跨って設置される壁部と、前記壁部の壁面において、前記洗い場と前記浴槽とに跨るように前記壁面の幅方向の全長に亘って設けられ、手摺りとしての機能を有する前板部と、を備え、前記前板部は、前記洗い場側と前記浴槽側とに配置される端固定部と、この両側の端固定部の間に配置される中固定部と、を介して前記壁面に固定されるものであり、前記中固定部と一方側の前記端固定部との間及び前記中固定部と他方側の前記端固定部との間を上方に開口した収納スペースとして、この両側の収納スペースそれぞれに、縦線材と横線材とで構成されて前記壁面の幅方向に長尺で、その上に物品を載置することができる棚部が配置されることを特徴とする。
【０００８】
また、本発明の他の一態様に係る浴室は、前記の一態様に係る浴室の構成に加えて、前記壁面に設置される鏡を備え、前記鏡は、前記洗い場と前記浴槽とに跨るように前記前板部の上側に沿って横長形状であることを特徴とする。
【発明の効果】
【０００９】
本発明の浴室では、洗い場から浴槽、浴槽から洗い場への使用者の移動を前板部でサポートすることができるので、手摺りを別途設ける必要がない。
【図面の簡単な説明】
【００１０】
【図１】図１は本実施形態の浴室収納棚が設置された浴室の斜視図である。
【図２】図２Ａは本実施形態の前板部と固定部の断面図であり、図２Ｂは本実施形態の前板部と固定部の分解斜視図である。
【図３】図３Ａは使用者が椅子から立ち上がるときの説明図であり、図３Ｂは使用者が洗い場から浴槽へ移動する説明図であり、図３Ｃは使用者が浴槽に座るときの説明図である。
【図４】図４は壁側固定体の斜視図である。
【図５】図５Ａは浴室収納棚の分解斜視図であり、図５Ｂは前板部と棚部の断面図である。
【発明を実施するための形態】
【００１１】
以下、本発明を添付図面に示す実施形態に基いて説明する。
【００１２】
浴室１は、図１に示すように、洗い場１１と、洗い場１１に隣接する浴槽１２と、を備える。また、浴室１は、洗い場１１と浴槽１２との境界部分以外における、洗い場１１の外周縁と浴槽１２の外周縁から上方に立ち上げて設けられる壁部１３を備える。壁部１３は、本実施形態では、複数の壁パネル２で構成されるが、壁部１３の構成は特に限定されない。また、浴室１は、複数の壁パネル２の上縁部に接続される天井部（図示せず）を備える。天井部は、複数の壁パネル２により形成される上方への開口を閉塞する。
【００１３】
浴室１は、本実施形態では、床パンにより構成される洗い場１１と、浴槽１２と、壁パネル２と、天井パネルを有する天井部と、を備えた浴室ユニットとなっているが、特に限定されるものではない。
【００１４】
壁部１３では、鏡、シャワー装置及びカウンターが設置され、洗い場１１と浴槽１２に跨って設置された壁パネル２を第一の壁パネル２１とする。また、第一の壁パネル２１に隣接し、浴槽１２のフランジ部１２ａの縁に設置された壁パネル２を第二の壁パネル２２とする。
【００１５】
ここで、浴室内から第一の壁パネル２１に向かう方向を後方向、その反対方向を前方向とする。また、第一の壁パネル２１に相対したときにおける、右側を右方向、左側を左方向とする。
【００１６】
第一の壁パネル２１には、本実施形態では、第一の壁パネル２１の幅方向（水平方向）に長尺な浴室収納棚１４が設置される。浴室収納棚１４は、第一の壁パネル２１の幅方向の略全長に亘って設けられることが好ましい。なお、浴室収納棚１４が設置される場所は、他の壁パネル２に設置されてもよく限定されない。
【００１７】
浴室収納棚１４は、図１に示すように、上方に開口し、その開口から物品が挿入される収納スペース１４ａを有する。
【００１８】
浴室収納棚１４は、図１，図２Ａ，図２Ｂに示すように、第一の壁パネル２１と対向するように配置される前板部３と、前板部３を第一の壁パネル２１に固定させる固定部４と、を有する。浴室収納棚１４が前板部３を有することにより、後述する棚部５に載置された物品が落ち難くなる。
【００１９】
前板部３は、使用者により掛けられる下方への荷重を受けられるように、固定部４で第一の壁パネル２１に固定される。このため、前板部３は荷重受け部として形成されている。前板部３は、例えば椅子から立ち上がるときの補助のために、使用者が前板部３の上端部を掴み、下方へ押す荷重を受けることができる。
【００２０】
また、前板部３は、本実施形態では、中空状となっており、その内部の後側にＣ型のチャンネル材が配置される。
【００２１】
前板部３は、第一の壁パネル２１の幅方向と平行な方向を長手方向とし、第一の壁パネル２１の高さ方向と平行な方向を短手方向とする、長尺な板状に形成される。前板部３は、本実施形態では、第一の壁パネル２１の壁面１３ａにおいて、幅方向の全長に亘って設けられるが、長手方向の長さは限定されない。このように、前板部３が長尺に形成されることで、使用者が浴室１内を前板部３を掴んで移動することができるため、手摺りとして前板部３を機能させることができる。
【００２２】
前板部３は、例えば、図３Ａに示すように使用者が座椅子から立ち上がるときや、図３Ｂに示すように洗い場１１から浴槽１２へ移動するとき、図３Ｃに示すように浴槽１２内に座るとき、等の動作をサポートする。
【００２３】
前板部３は、手摺りとしての機能を有するが、その外観が浴室収納棚１４の前板であるため、浴室１内の意匠性を損ない難い。
【００２４】
また、図２Ａに示すように、本実施形態の前板部３の第一の壁パネル２１側の面（後面）の上端部には、前記上端部を手で掴んだ際に指が引っ掛かり、手が前記上端部から抜けないように引掛け部３１が設けられる。引掛け部３１は、少なくとも前板部３の後面の上端部に設けられていればよく、前板部３の後面及び前面の両方に設けられてもよい。
【００２５】
引掛け部３１は、他の部分よりも大きく形成された膨大部３２であることが好ましい。なお、引掛け部３１は、前板部３の後面の上端部において、前面側に凹没した溝部（図示せず）であってもよい。
【００２６】
膨大部３２は、前板部３の後面部の上端部に長手方向の全長に亘って形成される。膨大部３２は、前板部３の後面の上端部において、後方向に突出して形成される。膨大部３２は、図２Ａに示すように、前板部３の後面部の上端から後方に行く程下方に位置するように傾斜し、その傾斜先端から下方に垂下している。膨大部３２には、その垂下した先端から前方に行く程上方に位置するように傾斜した傾斜部３１ａが設けられる。
【００２７】
前板部３を掴んだ使用者の指が掛かる部分を上記したような傾斜部３１ａとすることで、膨大部３２を伝ってきた洗剤が、使用者の指が掛かる部分の表面に伝って行き難くなる。これにより、前板部３の上端部を掴んだ使用者の指が滑り難くなり、前板部３の上端部から使用者の手が抜けてしまい難くなる。また、前板部３を掴んだ使用者の指が掛かる部分を粗面化してもよい。この場合も、前板部３の上端部を掴んだ使用者の指が滑り難くなり、前板部３の上端部から使用者の手が抜けてしまい難くなる。
【００２８】
前板部３は、浴槽１２と洗い場１１に跨って設置される壁部１３（本実施形態では第一の壁パネル２１）の壁面１３ａにおいて、浴槽１２と洗い場１１に跨って設けられることが好ましい。なお、前板部３は、第一の壁パネル２１における浴槽１２と洗い場１１の境界部分にのみ跨るように設けられてもよいし、幅方向の全長に亘って設けられてもよい。これにより、洗い場１１から浴槽１２、浴槽１２から洗い場１１への移動を前板部３でサポートすることができる。
【００２９】
固定部４は、図２Ａ，図２Ｂに示すように、壁部１３の壁面１３ａに固定される壁側連結体４１と、前板部３の後面に固定され壁側連結体４１と連結する前板側連結体４４と、を有する。固定部４は、本実施形態では、第一の壁パネル２１に三組設置されているが、その数は限定されない。
【００３０】
壁側連結体４１は、本実施形態では、第一の壁パネル２１に固定される。壁側連結体４１は、図４に示すように、壁側連結体４１を壁面１３ａに固定するための工具が壁側連結体４１の内部に挿入され易くするため、後方向に見て略Ｃ字状となっている。壁側連結体４１は、本実施形態では、前方向と右方向に開口している。
【００３１】
また、壁側連結体４１は、図２Ａ，図４に示すように、壁側に設けられ壁面１３ａに固定するために固定具７０が挿通する挿通孔４３ａが設けられた固定面部４３を有する。壁側連結体４１の下面部４２には、前板側連結体４４と連結するための固定具７１が締められるねじ孔４２ａが形成される。
【００３２】
前板側連結体４４は、図２Ａ，図２Ｂに示すように、有底角筒状となっている。前板側連結体４４は、後方向に開口している。前板側連結体４４は、前板部３側に設けられ前板部３に固定するために固定具７２を挿通させる挿通孔４６ａが設けられた固定面部４６を有する。前板側連結体４４の下面部４５には、壁側連結体４１の下面部４２に設けられたねじ孔４２ａと連通し固定具７１が挿入される挿通孔４５ａが形成される。
【００３３】
前板側連結体４４は、本実施形態では、前板部３とは別体で設けられるが、前板部３と一体に設けられてもよく、限定されない。また、前板側連結体４４は、施工現場ではなく、工場での製造時に前板部３に固定されてもよいし、施工現場で固定されてもよい。
【００３４】
固定部４では、図２Ａに示すように、壁側連結体４１が前板側連結体４４の内部に挿入される。そして、固定具７１が前板側連結体４４の下面部４５の挿通孔４５ａから挿入され、壁側連結体４１の下面部４２のねじ孔４２ａに締められることにより、壁側連結体４１と前板側連結体４４とが連結される。ここで、前板側連結体４４の下面部４５には水が付着し難いので、挿通孔４５ａから壁側連結体４１と前板側連結体４４との間に水が浸入し難い。
【００３５】
上記したように、固定部４は壁側連結体４１と前板側連結体４４に分かれており、夫々を壁部１３又は前板部３に固定し、夫々を連結させて第一の壁パネル２１に前板部３が固定される。そのため、前板部３を壁部１３に強固に固定して、前板部３が使用者から与えられる荷重を受けることができるようになり、浴室１内での使用者の動作をサポートすることができる。なお、壁側連結体４１と前板側連結体４４とに分けずに、一つの部材で固定部４を形成するようにしてもよい。
【００３６】
また、浴室収納棚１４は、図１，図５Ａに示すように、収納スペース１４ａに配置される棚部５を有する。棚部５は、本実施形態では、収納スペース１４ａに二つ配置されるが、その数は特に限定されない。棚部５は、三組配置されている固定部４における、左側の固定部４と中央の固定部４との間、中央の固定部４と右側の固定部４との間の収納スペース１４ａに配置される。
【００３７】
棚部５は、物品が載置される載置部５１と、載置部５１を着脱自在に支持する支持部６、とを有する。
【００３８】
載置部５１は、図１，図５Ａ，図５Ｂに示すように、前後方向に長い縦線材５２と、左右方向に長い横線材５３と、を有する。縦線材５２と横線材５３は、同一平面上に位置するため、載置部５１は平らな形状となる。棚部５を構成する縦線材５２と横線材５３は、ステンレスといった金属で形成される。載置部５１は、本実施形態では、三本の縦線材５２と七本の横線材５３を有しているが、縦線材５２と横線材５３の数は特に限定されない。また、載置部５１では、横線材５３の方が縦線材５２よりも長く形成される。
【００３９】
載置部５１の長手方向の長さは、浴槽１２の短手方向における浴槽１２の内壁間の最大距離よりも長いことが好ましい。これにより、載置部５１は、図１に示すように、長手方
向の夫々の両端部が、浴槽１２の短手方向における、フランジ部１２ａの一端側と他端側に載置できる。このとき、載置部５１により、浴槽１２に物品を置く場所を確保することができる。例えば、この架け渡した載置部５１には、ボトルを置いたり、本を置いたり、防水仕様の小型テレビを置いたりすることができる。
【００４０】
載置部５１は、図５Ａに示すように、第一の壁パネル２１と前板部３の後面に固定された複数の支持部６に載置される。支持部６は、左側の固定部４と中央の固定部４との間において、第一の壁パネル２１に二個、前板部３に二個配置される。さらに、支持部６は、中央の固定部４と右側の固定部４との間において、第一の壁パネル２１に二個、前板部３に二個配置される。これらの支持部６は、載置部５１が水平に載置されるように同一水平面上に位置して固定される。また、夫々の支持部６は、載置部５１の長手方向の両端部が載置されるように配置される。支持部６は、本実施形態では、合計八個配置されるが、その数は限定されない。
【００４１】
支持部６は、図５Ｂに示すように、横線材５３が設置され固定具７３，７４が挿入される挿入孔６１ａを有する円筒状の設置部６１と、設置部６１の一方の端部に設けられ隣り合う横線材５３の隙間に入り込む拡径部６２と、を有する。
【００４２】
第一の壁パネル２１に固定される支持部６では、拡径部６２が設けられる側とは反対側の設置部６１の端部を第一の壁パネル２１の壁面１３ａに接触させ、挿入孔６１ａに固定具７３を挿入して、支持部６が第一の壁パネル２１に固定される。
【００４３】
また、前板部３に固定される支持部６では、拡径部６２が設けられる側とは反対側の設置部６１の端部を前板部３の後面に接触させ、挿入孔６１ａに固定具７４を挿入して、支持部６が前板部３に固定される。ここで、支持部６の前板部３への固定では、支持部６の拡径部６２とは反対側の端部と前板部３内部のチャンネル材とで前板部３の後面部を挟み込んでいる。
【００４４】
上記のように固定された支持部６に載置部５１を、図５Ｂに示すように載置する。載置部５１は、着脱自在に支持部６に載置される。支持部６に載置された載置部５１は、左右方向の移動を、左側の固定部４、中央の固定部４及び右側の固定部４により制限される。そして、前方向への移動を第一の壁パネル２１に固定された支持部６の拡径部６２と前板部３の後面によって制限される。さらに、後方向への移動を前板部３に固定された支持部６の拡径部６２と第一の壁パネル２１によって制限される。このように、載置部５１の前後左右方向の移動を制限することで、載置部５１が支持部６から外れて落下することを防止する。
【００４５】
以下に浴室収納棚１４の第一の壁パネル２１への設置方法について記載する。
【００４６】
作業者は、前板部３に複数の前板側連結体４４を固定する。作業者は、複数の支持部６を夫々の前板側連結体４４の間の所定位置に配置させ固定する。
【００４７】
作業者は、夫々の前板側連結体４４の位置に合わせて複数の壁側連結体４１を第一の壁パネル２１に配置し固定する。作業者は、複数の支持部６を夫々の壁側連結体４１の間の所定位置に配置させ固定する。
【００４８】
作業者は、夫々の前板側連結体４４の内部に夫々の壁側連結体４１を挿入する。作業者は、壁側連結体４１の下面部４２のねじ孔４２ａと前板側連結体４４の挿通孔４５ａとを連通させ、固定具７１により壁側連結体４１と前板側連結体４４とを連結させる。
【００４９】
作業者は、夫々の固定部４の間に配置された支持部６の設置部６１に、載置部５１を設置する。このような作業工程により、浴室収納棚１４が第一の壁パネル２１に設置される。また、他の壁パネル２についても同様の方法で、浴室収納棚１４を設置できる。
【００５０】
上記した構成の浴室収納棚１４では、前板部３が使用者から与えられる荷重を受けることができ、浴室１内での使用者の動作をサポートすることができるので、手摺りを別途設ける必要がない。また、前板部３の上端部には、引掛け部３１が設けられており、前記上端部を掴んだ使用者の手が抜け難くなる。
【００５１】
また、前板部３が浴槽１２と洗い場１１に跨って設置された浴室では、使用者の洗い場１１から浴槽１２、浴槽１２から洗い場１１への移動を前板部３でサポートすることができる。
【００５２】
上記した浴室収納棚１４は、以下のような構成を備える。
【００５３】
浴室収納棚１４は、物品が載置される棚部５と、棚部５に載置された物品の落下を抑制し使用者により掛けられる下方への荷重を受ける前板部３と、を備える。前板部３の壁面１３ａ側の面の上端部には、その上端部を掴んだ手が引っ掛かり上方への抜けを抑止する引掛け部３１が設けられることを特徴とする。
【００５４】
これにより、前板部３が使用者の荷重を受けることができ、浴室１内での使用者の動作をサポートすることができるので、手摺りを別途設ける必要がない
また、引掛け部３１は、膨大部３２であることが好ましい。
【００５５】
これにより、前板部３の上端部を掴んだ使用者の手が抜け難くなる。
【００５６】
また、棚部５は、物品が載置される載置部５１と、載置部５１を着脱自在に支持する支持部６と、を備える。壁面１３ａの幅方向に長尺な載置部５１の長手方向の長さは、浴槽１２の短手方向における浴槽１２の内壁間の最大距離よりも長いことが好ましい。
【００５７】
これにより、浴槽１２にも棚部５を設置することで、浴槽１２に物品を置く場所を確保することができる。
【００５８】
浴室収納棚１４は、浴室１の壁面１３ａに設置される。浴室１は、浴槽１２と、浴槽１２に隣接する洗い場１１と、壁部１３と、を備える。壁部１３の内の浴槽１２と洗い場１１に跨る壁面１３ａに、前板部３が浴槽１２と洗い場１１に跨って設けられる。
【００５９】
これにより、洗い場１１から浴槽１２、浴槽１２から洗い場１１への使用者の移動を前板部３でサポートすることができる。
【符号の説明】
【００６０】
１    浴室
１３  壁部
１３ａ  壁面
１４  浴室収納棚
１４ａ  収納スペース
２    壁パネル
３    前板部
３１  引掛け部
４    固定部
４１  壁側連結体
４２  前板側連結体
５    棚部
５１  載置部
６    支持部
【図１】
2019130382.tif 000003
【図２】
2019130382.tif 000004
【図３】
2019130382.tif 000005
【図４】
2019130382.tif 000006
【図５】
2019130382.tif 000007